(57)【要約】【課題】作業員が確実に安全書類を確認することができる立入禁止看板を提供する。【解決手段】表面に関係者以外の立ち入りを禁止することが記載される注意喚起領域を有し、  裏面に安全書類を掲示する掲示領域を有する立入禁止看板。【選択図】図２
2017111408.tif 000002
【特許請求の範囲】
【請求項１】
表面に関係者以外の立ち入りを禁止することが記載される注意喚起領域を有し、
裏面に安全書類を掲示する掲示領域を有することを特徴とする立入禁止看板。
【請求項２】
スチール複合板からなることを特徴とする請求項１に記載の立入禁止看板。
【請求項３】
請求項１または２に記載の立ち入り禁止看板を備えることを特徴とする単管バリケード。
【発明の詳細な説明】
【技術分野】
【０００１】
本発明は、立入禁止看板に関する。
【背景技術】
【０００２】
土木現場、建築現場等において、作業員に対して、作業手順書、危険予知記録活動表、連絡事項等の安全書類が掲示されている。現場での危険回避のために、安全書類の内容については、作業員に周知徹底することが求められ、現場での掲示、朝礼における口頭での伝達等が行われている。
特許文献１には、運搬用の取手を備えた現場危険予知周知徹底打合せボードが提案されている。特許文献１に提案されている現場危険予知周知徹底打合せボードは、作業場所が変わるたびに設置場所が変わるため、どこに設置されているか分からない場合があった。
【先行技術文献】
【特許文献】
【０００３】
【特許文献１】実用新案登録第３０４０４６８号公報
【発明の概要】
【発明が解決しようとする課題】
【０００４】
立入禁止看板は、関係者以外の者は立入禁止であることを注意喚起して、外部エリアから立入禁止区域へ入り込むことを防止するためのものである。立入禁止看板は、関係者以外の者が立入禁止区域内に入り込む可能性のある場所に設置されるものであり、通常、外部エリアから立入禁止区域への入口や通路の付近に設置される。そのため、作業員は、立入禁止看板の近くを通って立入禁止区域内に入る。
本発明は、作業員が立入禁止区域に入るときに必ず近くを通る立入禁止看板を安全書類の掲示場所とすることにより、作業員が確実に安全書類を確認することができる立入禁止看板を提供することを課題とする。
【課題を解決するための手段】
【０００５】
１．表面に関係者以外の立ち入りを禁止することが記載される注意喚起領域を有し、
裏面に安全書類を掲示する掲示領域を有することを特徴とする立入禁止看板。
２．スチール複合板からなることを特徴とする１．に記載の立入禁止看板。
３．１．または２．に記載の立ち入り禁止看板を備えることを特徴とする単管バリケード。
【発明の効果】
【０００６】
本発明の立入禁止看板は、裏面に安全書類が掲示される。また、作業員は、本発明の立入禁止看板の近くを通って立入禁止区域内に入る。本発明の立入禁止看板の裏面に安全書類を掲示することにより、作業員は、安全書類の掲示場所を探すことなく、立入禁止区域内に入る前に確実に安全書類を確認することができる。
立入禁止看板の表面は注意喚起領域を有している。注意喚起領域には人の目を引くような色、文字の大きさ等で「関係者以外立入禁止」等と記載されており、立入禁止看板は人の目を引くため、作業員は、立入禁止看板が移動しても、容易に看板を見つけることができ、安全書類を確認することができる。
立入禁止看板を、スチール複合板から形成すると、マグネットを貼りつけることができ、また、マーカーペンで書き消しすることができる。
立入禁止看板を、単管バリケードに設置することにより、立入禁止看板が容易に倒れず、いたずら等で動かされることもない。
【図面の簡単な説明】
【０００７】
【図１】本発明の一実施態様である立入禁止看板の表面を示す図。
【図２】本発明の一実施態様である立入禁止看板の裏面を示す図。
【図３】本発明の一実施態様である立入禁止看板を単管バリケードに設置した図。
【発明を実施するための形態】
【０００８】
本発明は、表面に関係者以外の立ち入りを禁止することが記載される注意喚起領域を有し、裏面に安全書類を掲示する掲示領域を有する立入禁止看板に関する。
【０００９】
本発明の立入禁止看板の一実施態様の表面を図１に、裏面を図２にを示す。
立入禁止看板１は、アクリル板、アルミ複合板、スチール複合板等を用いることができる。アルミ複合板、スチール複合板は、発泡プラスチック製芯材の両面をアルミまたはスチール製の板で挟み込んだものである。アルミ複合板、スチール複合板は、軽量で強度に優れており、好適に利用することができる。アルミ複合板、スチール複合板として、マーカーペンで書き消しすることができるように表面加工されているものが好ましい。また、磁石を貼りつけることができるスチール複合板が好ましい。図１に示す立入禁止看板１は、表面加工されたスチール複合板からなる。
【００１０】
一実施態様である立入禁止看板１の表面２は、注意喚起領域２１と情報領域２２を有する。注意喚起領域２１には、関係者以外の立ち入りを禁止するために、「関係者以外立入禁止」、「入ってはいけません」等の文字、または、これらの文字と作業員風の人物等の絵が記載されている。注意喚起領域２１は、人の目につきやすいように、赤色、黄色、黒色等が用いられる。注意喚起領域２１は、再帰反射性を有する、ＬＥＤ等が発光・点滅する等により、さらに目立つようにすることもできる。情報領域２２には、施工会社、作業内容、工期、作業責任者、安全監視人、ＪＶ担当者等が記載されたマグネットシート２３が貼り付けられている。予め、作業責任者名等を記載したマグネットシート２３を用意しておくことにより、マグネットシート３２を貼り替えるだけで、掲示内容を変更することができる。
【００１１】
一実施態様である立入禁止看板１の裏面３は、安全書類４を掲示する掲示領域３１を有する。掲示領域３１の上下には、コ字形のフック３２が、それぞれの開口面を上下に対向させた状態で配置されている。また、裏面の最上部と最下部には、立入禁止看板を設置するための金具３３が設けられている。金具３３は、上下に貫通した開口部３４を有する。
【００１２】
安全書類４をそのまま掲示すると風で飛ばされたり、土、雨等で汚れたりすることがある。表面に透明樹脂フィルムを有するボード４１に安全書類４を挟みこみ、安全書類４を挟んだボード４１を、上下のフック３２に引っ掛けることにより、安全書類４を雨風等から保護することができる。あるいは、ボード４１に磁石を設けることにより、フック３２を用いることなく、ボード４１を立入禁止看板１に貼りつけることができる。
【００１３】
立入禁止看板１の近くには、マーカーペンやマグネットシートを保管するボックス５を設置する。マグネットや接着剤を使用することにより、ボックス５を立入禁止看板１に直接貼り付けることができる。ボックス５は、立入禁止看板１に直接、または立入禁止看板を設置する対象物に設置する。
【００１４】
一実施態様である立入禁止看板１を、単管バリケード６に設置した様を図３に示す。
単管バリケード６は、上下にクランプを有する単管スタンド６１と、このクランプに接続された２本の単管６２からなる。単管バリケード６１は、重く安定性に優れ、簡単に倒れることがない。また、人力で動かすことは困難であり、立入禁止看板１を設置する対象として好適である。
立入禁止看板裏面３の金具３３の開口部３４に、バインド線、ひも、結束バンド等の紐状体３５を通し、この紐状体３５を単管バリケードの単管６２に巻きつけることにより、立入禁止看板１を単管バリケード６に設置することができる。
【符号の説明】
【００１５】
１    立入禁止看板
２    表面
２１  注意喚起領域
２２  情報領域
２３  マグネットシート
３    裏面
３１  掲示領域
３２  フック
３３  金具
４    安全書類
４１  ボード
５    ボックス
６    単管バリケード
６２  単管
【図１】
2017111408.tif 000003
【図２】
2017111408.tif 000004
【図３】
2017111408.tif 000005